(57)【特許請求の範囲】
【請求項１】
コンロバーナが設けられる底部と前記底部から上方に立ち上がる立ち上がり部と前記立ち上がり部の上端から外方に延びたフランジ部とを含む天板と、上面全体が被加熱対象物を載置可能で、かつ、上面周端が前記天板のフランジ部と立ち上がり部との接続部分に近接した五徳と、他のバーナの燃焼により生じた排気ガスを排出する為に前記天板に設けられた排気孔とを備えたガスコンロにおいて、
前記天板の底部と立ち上がり部とは鈍角で接続されており、前記排気孔は前記天板の立ち上がり部に設けられてその上方にまで前記五徳が配設されているガスコンロ。
【請求項２】
コンロバーナが設けられる底部と前記底部から上方に立ち上がる立ち上がり部と前記立ち上がり部の上端から外方に延びたフランジ部とを含む天板と、上面全体が被加熱対象物を載置可能で、かつ、上面周端が前記天板のフランジ部と立ち上がり部との接続部分に近接した五徳と、他のバーナの燃焼により生じた排気ガスを排出する為に前記天板の底部又は立ち上がり部に設けられた排気孔とを備えたガスコンロにおいて、
前記天板のフランジ部には、前記五徳に載置される被加熱対象物を支持可能な突部が形成されているガスコンロ。
【請求項３】
前記五徳と前記排気孔との間に取付けられる排気ガードを備えた、請求項１又は２に記載のガスコンロ。
【請求項４】
前記五徳は、爪と、前記爪を繋ぐ枠部と、前記枠部に形成された切欠部とを含み、前記排気孔と前記天板のフランジ部との間の前記五徳の枠部は、前記天板の立ち上がり部と隙間を隔てる形状であることを特徴とする、請求項１ないし３のいずれかに記載のガスコンロ。
【発明の詳細な説明】
【０００１】
【発明の属する技術分野】
この発明はガスコンロに関し、特に、鍋などの被加熱対象物の載置面積を大きく取る共に、コンロバーナ以外の他のバーナ、例えばグリルバーナから排出された排気ガスの逆流を防ぐことの可能なガスコンロに関する。
【０００２】
【従来の技術】
図１９は、従来のドロップインコンロの後方要部拡大端面図である。
図１９を参照して、ドロップインコンロ５１は、コンロ部５３と、グリル部５５とを含み、本体ケース５７内に収容されている。本体ケース５７は、カウンタートップ６１に形成された開口６３に落とし込まれ、先端にパッキング５９が取付けられたフランジがカウンタートップ６１に係合して、吊持される。
【０００３】
コンロ部５３には、火床としての後方コンロバーナ６４が設けられており、天板６５が内部を覆うように取付けられる。天板６５は、後方コンロバーナ６４に対応した孔６７が形成された底部６５ａと、底部６５ａに接続し、上方に向かって立ち上がる立ち上がり部６５ｂと、立ち上がり部６５ｂの上端からカウンタートップ６１側である外方に延びたフランジ部６５ｃとを含む。フランジ部６５ｃには、排気孔６９が形成されている。
【０００４】
天板６５の上に汁受け皿７１が取付けられる。汁受け皿７１は、鍋８７等の被加熱対象物から吹き出した汁等を受けるためのものである。汁受け皿７１にはコンロバーナ６４に対応した孔７３が形成されている。汁受け皿７１の上に、カバーリング７５が取付けられる。そして、天板６５の上に五徳７７が設けられる。五徳７７によって載置された鍋８７のような被加熱対象物が後方コンロバーナ６４によって加熱される。
【０００５】
一方、グリル部５５には、下方に向いて、魚などを加熱するグリルバーナ７９が設けられており、グリルバーナ７９によって発生した排気ガスを外部に排出するための排気通路８１及び排気口８３が設けられている。排気通路８１を通って排気口８３から排出された排気ガスは、天板６５の排気孔６９から外部に排気される。排気孔６９は、排気カバー８５によってカバーされている。排気カバー８５は、野菜等が排気通路８１側へ落ちるのを防ぐためのものである。
【０００６】
以上の説明から分かるように、グリル部５５のグリルバーナ７９で発生した排気ガスの排気孔６９は、上に向けて上昇する排気ガスを自然に排気できる観点から、ドロップインコンロ５１の最も後方位置に該当する天板６５のフランジ部６５ｃに形成されていた。しかも、美観等の観点からフラット感がでるように、五徳７７の高さとフランジ部６５ｃの高さとがほぼ同じ高さであった。
【０００７】
【発明が解決しようとする課題】
しかしながら、天板６５のフランジ部６５ｃに排気孔６９を形成したことから、五徳７７の載置面積は、その分だけ狭められていた。
また、鍋８７が五徳７７よりもさらに後方にずらされ、排気孔６９の上に載置された場合には、鍋８７と排気カバー８５の対向距離は、距離Ｌ１のようなほとんど隙間のない距離であり、閉塞状態になり、グリルバーナ７９からの排気ガスは排気孔６９から外部に自然には排出されず逆流していた。そのため、器具やカウンタートップが異常に過熱してしまうという問題があった。さらに、逆流の状態によっては、後方コンロバーナ６４にまで排気ガスが流れ、後方コンロバーナ６４が不完全燃焼により異常消火してしまうという問題もあった。
【０００８】
さらに、鍋８７が排気孔６９の上にまで及んで載置された場合には、熱をおびた排気ガスは逆流して鍋８７の保温には用いられず、鍋８７が五徳７７の載置面積内に載置されている場合には、熱をおびた排気ガスは外部に自然に排気されて鍋８７の保温には用いられていなかった。
ゆえに、本発明は、五徳の載置面積を可能な限り大きく確保すると共に、コンロバーナ以外のグリル等の他のバーナからの排気ガスが逆流せず、さらに熱をおびた排気ガスを保温のために用いることができるようなガスコンロを提供することを課題とする。
【００１１】
【課題を解決するための手段】
請求項１の発明は、コンロバーナが設けられる底部と前記底部から上方に立ち上がる立ち上がり部と前記立ち上がり部の上端から外方に延びたフランジ部とを含む天板と、上面全体が被加熱対象物を載置可能で、かつ、上面周端が前記天板のフランジ部と立ち上がり部との接続部分に近接した五徳と、他のバーナの燃焼により生じた排気ガスを排出する為に前記天板に設けられた排気孔とを備えたガスコンロにおいて、
前記天板の底部と立ち上がり部とは鈍角で接続されており、前記排気孔は前記天板の立ち上がり部に設けられてその上方にまで前記五徳が配設されているガスコンロである。
【００１２】
このような発明によって、天板のフランジ部には他のバーナのための排気孔を形成する必要がなく、その分だけフランジの張り出し幅を狭くできる。また、排気孔が天板の底部または立ち上がり部に設けられたことにより、五徳の上に載置された被加熱対象物との間の距離が確保される。さらに、排気孔の上の五徳に被加熱対象物が載置されている場合には、熱をおびた排気ガスが被加熱対象物に当り、その周囲が保温空間を形成する。
そして、天板の底部と立ち上がり部とが鈍角で接続されており、排気孔が天板の立ち上がり部に設けられているので、傾斜した分だけ排気孔の開口面積を大きく取ることができる。また、天板の底部と鈍角で接続された立ち上がり部に設けられた排気孔の開口方向は内方かつ上方を向くことになり、被加熱対象物側に排気ガスが流れる。
【００１３】
また、請求項２の発明は、コンロバーナが設けられる底部と前記底部から上方に立ち上がる立ち上がり部と前記立ち上がり部の上端から外方に延びたフランジ部とを含む天板と、上面全体が被加熱対象物を載置可能で、かつ、上面周端が前記天板のフランジ部と立ち上がり部との接続部分に近接した五徳と、他のバーナの燃焼により生じた排気ガスを排出する為に前記天板の底部又は立ち上がり部に設けられた排気孔とを備えたガスコンロにおいて、
前記天板のフランジ部には、前記五徳に載置される被加熱対象物を支持可能な突部が形成されているガスコンロである。
このような突部が形成されることで、五徳の載置面積以上に支持可能となる。また、突部によって被加熱対象物が支持された場合であっても、少なくとも突部の高さ分だけは排気のための隙間が確保される。尚、突部には、天板の立ち上がり部とフランジ部との接続部分によって形成されたものも含める。
請求項３の発明は、請求項１または２の五徳と排気孔との間に取付けられる排気ガードが備える。この発明によって、五徳と排気孔との間の空間内であれば、排気ガードの形状が何れの形状であっても良く、形状の自由度が増す。
請求項４の発明は、請求項１ないし３のいずれかの五徳が、爪と、爪を繋ぐ枠部と、枠部に形成された切欠部とを含んでいる。そして、排気孔と天板のフランジ部との間の五徳の枠部が、天板の立ち上がり部と隙間を隔てる形状であることを特徴としている。
【００１４】
このような枠部によって、排気ガスの一部が枠部に当り、五徳の上に載置された被加熱対象物側に流される。また、排気ガスの一部が五徳の枠部と天板の底部との間の切欠部を通り、五徳の枠部と天板の立ち上がり部との隙間を通って外部へ排気される。
【００１６】
【発明の効果】
請求項１の発明は、他のバーナにより生じた排気ガスを排出するための排気孔がフランジに形成されない分だけ、載置面積を大きくできて全面五徳として使用できる。また、排気孔が天板の底部または立ち上がり部に設けられたことで、五徳の上に載置される被加熱対象物の底面との距離が確保され、閉塞状態にならず、器具内への逆流が生じないため、器具、ワークトップの異常過熱を防ぐことができ、コンロバーナにまで排気ガスが逆流することが防がれ、コンロバーナの異常消火という問題も解決される。さらに、排気孔の上の五徳に被加熱対象物が載置されている場合には、熱をおびた排気ガスが被加熱対象物に当り、その空間が一種の保温空間となって、被加熱対象物の温度低下を押えることができる。
そして、天板の立ち上がり部に排気孔が形成され、傾斜分だけ開口面積を大きくとることができ、排気ガスの流れに対する抵抗が減らされ、スムーズな排気が行える。さらに、開口方向が内方側を向いているため、熱をおびた排気ガスが被加熱対象物に当り、温度低下を押えることができて保温効果がある。
請求項２の発明は、突部を設けたことで、五徳の載置面積以上に被加熱対象物を支持することができて、より大きな載置面積を確保できる。さらに、突部を設けた分だけ少なくともその高さ分だけ排気の隙間があり、突部によって支持された被加熱対象物が排気ガスの排気を妨げることがなく、排気が可能である。
特に、突部の高さが五徳の高さ以上であれば、突部によって支持された被加熱対象物はコンロの内側に向いて傾斜するため確実な支持が行われると共に、排気のための隙間も十分に確保できる。また、突部の高さが五徳の高さと同じ場合には、突部での支持も五徳と同じ感じで使える。また、突部の高さが五徳の高さより低い場合であっても、所定の高さであれば、被加熱対象物の支持は可能である。さらに、フランジのより外方に突部を形成すれば、突部が五徳の高さより低い場合にも、被加熱対象物の支持がより可能となる。
【００１７】
請求項３の発明は、排気ガードが五徳と排気孔との間に取付けられて、その距離内であれば排気ガードが存在したとしても、そしてその形状がいかなる形状であっても、五徳の上面全体によるドロップインコンロ全体のフラット感が保たれる。
請求項４の発明は、五徳の枠部の切欠部によって天板の底部と隙間を隔てると共に、立ち上がり部と隙間を隔てているので、他のバーナにより生じた排気ガスの一部が保温に用いられ、一部が天板の立ち上がり部との隙間を通って排気され、保温と排気の両立が可能となる。
【００２０】
【発明の実施の形態】
まず、本発明の参考例を以下に説明する。
図１は、ドロップインコンロの斜視図であり、図２は、ドロップインコンロの分解斜視図であり、図３は、図１のドロップインコンロのＩＩＩ−ＩＩＩライン端面図であり、図４は、図３の後方要部拡大端面図であり、図５は、図２の天板の要部拡大平面図であり、図６は、図５の天板のＶＩ−ＶＩライン端面図であり、図７は、図２の排気ガードの拡大図であり、図８は、図２の前方五徳の拡大平面図であり、図９は、図２の後方五徳の拡大平面図であり、図１０は、図９のＸ−Ｘラインから後方五徳を見た図であり、図１１は、図９のＸＩ−ＸＩラインから後方五徳を見た図である。
【００２１】
図１から図１１を参照して、ドロップインコンロについて説明する。ドロップインコンロ１０１は、コンロ部１０３と、グリル部１０５とを含む。コンロ部１０３は、本体ケース１０７の上部に配設され、グリル部１０５は、本体ケース１０７内に収容される。本体ケース１０７は、側壁上端から外方に張り出したフランジを有し、フランジにパッキング１１２が取付けられて、カウンタートップ１０９に形成された開口１１１に落とし込まれる。その結果、フランジがカウンタートップ１０９による開口１１１の周囲に係合することで、本体ケース１０７は吊持される。又、本体ケース１０７には、グリル部１０５で生じた排気ガスを外部へ導くための排気部１０８が形成されており、排気ガスが通過する排気通路１０８ａと、開口が外部へ向いた排気口１０８ｂとが設けられている。
【００２２】
コンロ部１０３には、火床として、右コンロバーナ１１３ａ、左コンロバーナ１１３ｂ、後方コンロバーナ１１５が含まれている。そして、本体ケース１０７の上方開口を覆うように、天板１１７が取付けられる。天板１１７は、底部１１７ａと、立ち上がり部１１７ｂと、フランジ部１１７ｃとを備える。本体ケース１０７に収容される右コンロバーナ１１３ａ，ｂ、後方コンロバーナ１１５は、天板１１７の上方に臨むため、天板１１７の底部１１７ａには、右コンロバーナ１１３ａに対応する孔部１１９ａが形成され、左コンロバーナ１１３ｂに対応する孔部１１９ｂが形成され、後方コンロバーナ１１５に対応する孔部１２１が形成されている。又、底部１１７ａには、孔部１２１よりも後方に排気口１０８ｂに対応した排気孔１２３ａが形成されている。又、排気孔１２３ａの両側には本体ケース１０７内の熱気を排出するための排気孔１２３ｂ，ｃが形成されている。立ち上がり部１１７ｂは、底部１１７ａから上方へ向けて立ち上がる部分である。フランジ部１１７ｃは、立ち上がり部１１７ｂの上端から外方に延びた部分である。
【００２３】
天板１１７の上には汁受け皿１２５が取付けられる。ここで、汁受け皿１２５は、鍋等から吹き出した煮汁等のほとんどを受けて、天板１１７に流れないようにして、掃除を簡単にするためのものである。汁受け皿１２５にも、右コンロバーナ１１３ａに対応した孔部１２７ａが形成され、左コンロバーナに対応した孔部１２７ｂが形成され、後方コンロバーナ１１５に対応した孔部１２９が形成されている。そして、右コンロバーナ１１３ａをカバーするカバーリング１３１ａが取付けられ、左コンロバーナをカバーするカバーリング１３１ｂが取付けられ、後方コンロバーナ１１５をカバーするカバーリング１３３が取付けられる。
【００２４】
排気孔１２３ａ，ｂ，ｃをガードすべく排気ガード１３５が取付けられる。排気ガード１３５は、枠体１５３と、脚体１５５と、格子体１５７ａ，ｂとで構成される。枠体１５３、脚体１５５、格子体１５７ａ，ｂはそれぞれ線材であり、線材の端部どうしが溶接接続されて連続的な環状形状となっている。即ち、排気ガード１３５は、環状形状の線材のみが組み合わされて構成されたものである。
【００２５】
そして、最後に、前方五徳１３７ａと後方五徳１３７ｂが取付けられる。その結果、排気ガード１３５は、後方五徳１３７ｂと天板１１７の後方のフランジ部１１７ｃとの間に設けられる。前方五徳１３７ａは、右コンロバーナ１１３ａ及び左コンロバーナ１１３ｂのための五徳であり、後方五徳１３７ｂは、後方コンロバーナ１１５のための五徳である。後方五徳１３７ｂは、爪１６３ａ〜ｋと、爪１６３ａ〜ｋを繋ぐ枠部１６１とを含む。枠部１６１は、脚部１５９ａ〜ｅによって天板１１７の上に設けられ、切欠部１６５ａ〜ｄによって、天板１１７の底部１１７ａと隙間を隔てている。また、枠部１６１は、天板１１７の立ち上がり部１１７ｂとも隙間Ｇを隔てている。即ち、天板１１７に形成された排気孔１２３ａと天板１１７のフランジ部１１７ｃとの間に設けられる枠部１６１は、天板１１７の底部１１７ａ及び立ち上がり部１１７ｂと隙間を隔てている。
【００２６】
また、つめ１６３ａ〜ｊのカウンタートップ１０９側の端部は、それぞれ天板１１７の立ち上がり部１１７ｂとフランジ部１１７ｃとの接続部分と近接しており、つめ１６３ａ〜ｋの上面によって形成される面は、略平面状である。即ち、後方五徳１３７ｂは、上面全体が五徳として被加熱対象物を載置可能な状態である。このことは、図８に示した前方五徳１３７ａについても同様である。従って、前方五徳１３７ａ及び後方五徳１３７ｂの爪によって天板１１７の底部１１７ａの上方全域は覆われて、いわゆる全面五徳となる。
【００２７】
次に、グリル部１０５について説明する。グリル部１０５は、右コンロバーナ１１３ａと左コンロバーナ左コンロバーナ１１３ｂの間の下部に火床として設けられたグリルバーナ１３８を含む。グリルバーナ１３８に対向してその下方に金網１４３が取付けられ、金網１４３の下側には水受け皿１４１が取付けられる。支持枠１３９は、水受け皿１４１を支持する枠である。これらの金網１４３等は、ドロップインコンロ１０１の前面に取付けられた開閉扉１４５が開閉することで取り出し可能となっている。
【００２８】
前面には、開閉扉１４５の他、操作パネル１４７が取付けられると共に、吸気孔１５１ａ，ｂが形成されている。操作パネル１４７には、コックツマミ１４９ａ，ｂ，ｃ，ｄが取付けられ、コンロ部１０３の火床及びグリル部１０５の火床がコックツマミ１４９ａ，ｂ，ｃ，ｄによって制御される。例えば、グリルバーナ１３８のつまみであるコックツマミ１４９ｄが操作されると、ガスと空気とが混合して燃焼が行われ、生じた排気ガスは排気部１０８の排気通路１０８ａを通り排気口１０８ｂから排気ガード１３５を通過して外部に排気される。
【００２９】
次に、図４を参照して、天板１１７のフランジ部１１７ｃには排気孔１２３ａが形成されておらず、底部１１７ａに形成されており、その上方にまで後方五徳１３７ｂが配設されているため、その分だけ後方五徳１３７ｂの載置面積が広がっている。また、排気孔１２３ａが底部１１７ａに形成されたため、排気孔１２３ａと後方五徳１３７ｂに載置される鍋等の被加熱対象物の間の距離Ｌ２は、十分に確保されている。従って、排気孔１２３ａから排出されるべき排気ガスは、仮に排気孔１２３ａの上方に鍋が置かれても逆流せず、その結果、器具、カウンタートップの異常過熱という問題は生じなくなっている。さらに、逆流しないことから、後方コンロバーナ１１５の燃焼にも悪影響を及ぼさない。さらに、排気孔１２３ａから排出される排気ガスは一定の温度をおびており、後方五徳１３７ｂに鍋８７等の被過熱対象物が載置された場合には、鍋８７の底面と天板１１７の立ち上がり部１１７ｂとによって、一種の保温空間が形成される。従って、鍋８７等の温度低下を押えることができ、保温効果がある。
【００３０】
次に、排気孔１２３ａが天板１１７の底部１１７ａに形成され、五徳の下に排気ガード１３５が設けられたため、排気ガード１３５が立体的な形状であっても五徳の上面には影響がないのでドロップインコンロとしてのフラット感は保たれている。即ち、後方五徳１３７ｂと天板１１７の底部１１７ａとの間の隙間内であれば、排気ガード１３５の形状は許容され、種々の形状のものが使用可能となる。
【００３１】
次に、図４及び図１０に示した後方五徳１３７ｂの枠部１６１の形状によって、排気孔１２３ａから排気された排気ガスの一部は、切欠部１６５ａ等を通り、枠部１６１と立ち上がり部１１７ｂとの隙間Ｇを通って外部に排気される。排気ガスの他の一部は、枠部１６１によって内側に流れる。これにより、保温と排気の両立が可能となっている。なお、枠部１６１の形状は、後方コンロバーナ１１５からの輻射熱を天板１１７にまで伝えない効果も有している。
【００３２】
以下、本発明の実施の形態を説明する。
図１２は、排気孔が天板の立ち上がり部に形成された場合を示した後方要部拡大端面図である。
天板１７４は、底部１７４ａと、立ち上がり部１７４ｂと、フランジ部１７４ｃとを含み、立ち上がり部１７４ｂの途中に段差部１７４ｄが形成されている。そして、立ち上がり部１７４ｂの段差部１７４ｄより底部１７４ａ側に排気孔１２３ａが形成されている。排気孔１２３ａをガードするための排気カバー１６７が取付けられている。排気カバー１６７は、排気ガード１３５と異なり、シート状のカバーである。また、段差部１７４ｄに取付けられる枠部１７１の脚部１７３を有する後方五徳１６９が設けられている。脚部１７３は、枠部１７１によって他の脚部と繋がっている。
【００３３】
このような実施の形態によっても、図３に示した実施の形態と同様の効果が得られると共に、以下のような更なる効果が得られる。まず、天板１７４の立ち上がり部１７４ｂに排気孔１２３ａが形成されたので、その傾斜分だけ開口面積を大きく取ることができ、排気の際の抵抗を押えることができる。従って、自然な排気が行える。また、底部１７４ａと立ち上がり部１７４ｂは鈍角で接続されているので、開口方向が内方かつ上方を向いている。従って、排気孔１２３ａから排出された排気ガスは後方五徳１６９上に載置された被過熱対象物に当る方向に排出されることになり、熱をおびた排気ガスの保温効果を利用できる。
【００３４】
図１３は、図１２に示された実施の形態に対して、五徳と天板の形状を変えた後方要部拡大端面図である。
図１３を参照して、天板１７５は、底部１７５ａと、立ち上がり部１７５ｂと、フランジ部１７５ｃとを含み、排気孔１２３ａより底部１７５ａ側の立ち上がり部１７５ｂに段差部１７５ｄが形成されている。段差部１７５ｄに枠部１７９が置かれ、後方五徳１７７は枠部１７９よりも後方にまでその爪がのびて支持されている。このように、後方五徳１７７の枠部１７９と排気孔１２３ａとの位置関係が変わっても、後方五徳１７７の載置面積は大きく取ることができ、閉塞状態による排気ガスの逆流も防止され、さらに保温空間も形成することができる。また、枠部１７９は、切欠が形成されていない。このような枠部１７９によって、後方コンロバーナ１１５からの輻射熱は枠部１７９によって遮られ、排気孔１２３ａから排出された排気ガスは、後方コンロバーナ１１５側に流れず、立ち上がり部１７５ｂに沿って外部へ排気される。
【００３５】
尚、後方五徳１７７の載置面積は、図１９に示した従来に比べて枠部１７９よりフランジ部１７５ｃ側の分だけ大きくなっており、鍋８７が通常の五徳の載置面積内に載置されていれば、排気孔１２３ａから排気された排気ガスはスムーズに排気される。ところが、後方五徳１７７よりもさらに後方に鍋８７等が載置された場合には、その鍋８７によって排気通路が塞がれるとも考えられるが、鍋が載った位置だけ排気通路が閉ざされているのみで、鍋の載っていない後方五徳１７７と天板１７５との間は隙間が開いているため、排気ガスの排気は可能である。逆に、排気ガスが逆流しない程度であれば、保温空間を形成し易いと考えることもできる。
【００３６】
図１４は、天板のフランジ部に突部を設けた場合の後方要部拡大端面図である。
図１４を参照して、図３に示した実施の形態とは、天板を変えている。即ち、天板１８１は、底部１８１ａと、立ち上がり部１８１ｂと、フランジ部１８１ｃとを含み、さらに、フランジ部１８１ｃにはその上面の周囲に沿った一部に突部１８３が形成されている。しかも、フランジ部１８１ｃと後方五徳１３７ｂの高さをほぼ一致させている。突部１８３が形成されたことで、後方五徳１３７ｂよりもさらに後方に被加熱対象物たる鍋８７等が置かれた場合であっても、突部１８３によって支持が可能である。しかも、突部１８３の高さと後方五徳１３７ｂの高さは突部１８３の方が高いため、鍋８７等は内側に向いて傾斜し、カウンタートップ１０９側に倒れにくい状態で支持されている。さらに、突部１８３によって鍋が支持されている場合には、鍋の底面とフランジ部１８１ｃとの隙間は、突部１８３の高さ分だけ確保される。従って、排気孔１２３ａから排出される排気ガスはその隙間を通って外部に排出される。
【００３７】
尚、図１５に示すように突部１８７を設けてもよい。即ち、底部１８５ａと、立ち上がり部１８５ｂと、フランジ部１８５ｃとを含む天板１８５のフランジ部１８５ｃに形成された突部１８７の高さと後方五徳１３７ｂの高さとをほぼ一致させてもよい。このようなほぼ一致した高さの突部１８７によって、鍋８７等の被加熱対象物を支持できることはもちろんのこと、使用者は後方五徳１３７ｂと突部１８７とをほぼ同じ感覚で使用することができて、スライドして突部１８７にまで鍋等を移動させることができる。排気孔１２３ａから排出される排気ガスの排気については、突部１８７の高さ分だけ確保できることは同様である。
【００３８】
また、図１６に示すような突部１９１を設けてもよい。即ち、底部１８９ａと、立ち上がり部１８９ｂと、フランジ部１８９ｃとを含む天板１８９のフランジ部１８９ｃに形成された突部１９１の高さは、後方五徳１３７ｂより低いものとなっている。このように低い突部１９１であっても、一定の低さであれば、後方五徳１３７ｂに載置されるべき鍋８７等の支持可能である。排気については、今までの説明と同様である。
【００３９】
さらに、図１７に示すような突部１９３を形成してもよい。図１７に示した実施の形態は、図３に示した実施の形態と突部１９３を除いて全く同じである。突部１９３は、フランジ部１１７ｃのカウンタートップ１０９側であるより後方側に形成されたものである。このように後方に形成することで、後方五徳１３７ｂと突部１９３によって支持される鍋等の傾斜は、同じ高さの突部がフランジ部の前方に設けられるよりは緩やかになる。このようにフランジ部の後方に突部を設けることで、後方五徳１３７ｂより低いフランジ部１１７ｃであっても対処がより容易になる。
【００４０】
さらに、図１８に示すような場合であってもよい。即ち、天板１９５は、底部１９５ａと、立ち上がり部１９５ｂと、フランジ部１９５ｃとを含み、立ち上がり部１９５ｂとフランジ部１９５ｃとの接続部分の一部分を突部１９７としている。このような接続部分の一部であっても、図１４から図１７に示した実施の形態と同様の効果は得られる。
【００４１】
さらに、接続部分の一部を突部として利用する考え方は、図１２に示した実施の形態についても適用でき、また、接続部分の一部の高さが後方五徳１７７よりも高い場合、同じ場合、低い場合のいずれについても、適用できる。
さらに、接続部分の一部を突部として利用する考え方は、天板の立ち上がり部に排気孔が設けられた場合に限らず、底部に設けられた場合についても適用できる。逆に、天板の立ち上がり部に排気孔が形成された場合に置いて、フランジに単なる突部を形成してもよいことも明らかである。
【００４２】
さらに、天板の底部に排気孔が形成されて、図１３に示した実施の形態に対応した場合のように五徳の枠部が排気孔とフランジとの間に設けられていない場合についても、本発明が適用できる。
さらに、排気ガードは、従来のいずれのものが適用されてもよい。即ち、プレス加工によって形成されたものや、シート状のものや、線材の端部が突出したままのものであってもよい。また、排気ガードが用いられず、単なるパンチ穴によって天板の排気孔が形成されてもよい。
【００４３】
さらに、コンロバーナの数は、一個でも良く、その場合の五徳は、五徳１３７ｂだけでよい。
さらに、五徳１３７ａと五徳１３７ｂとが一体となった五徳でもよい。
さらに、五徳の枠部に脚部を形成してその間を切欠部としたが、枠部に開口を設けて切欠部としてもよい。
【００４４】
さらに、天板のフランジ部の高さが一定で、突部の高さ自体を変えて、五徳の高さよりも、高い場合、同じ場合、低い場合としてもよい。
さらに、突部の数は、一個でも複数でもよい。
さらに、突部は、フランジ部に後から取付けてもよく、天板の形状を突出させてもよい。
【００４５】
さらに、天板に形成された排気孔は、グリルによる排気ガスを排気するためのものである必要はなく、他の焼成庫のオーブンのバーナのように他のバーナから排出される排気ガスのためのものであってもよい。
さらに、コンロは、ドロップインコンロに限られず、テーブルコンロのような他のコンロであってもよい。
【００４６】
【図面の簡単な説明】
【図１】  本発明の参考例に係るドロップインコンロの斜視図である。
【図２】  図１のドロップインコンロの分解斜視図である。
【図３】  図１のＩＩＩ−ＩＩＩラインのドロップインコンロの断面図である。
【図４】  図３のドロップインコンロの後方要部拡大端面図である。
【図５】  図２の天板の要部拡大平面図である。
【図６】  図５のＶＩ−ＶＩライン端面図である。
【図７】  図２の排気ガードの拡大図である。
【図８】  図２の前方五徳の拡大平面図である。
【図９】  図２の後方五徳の拡大平面図である。
【図１０】  図９のＸ−Ｘライン方向から後方五徳を見た図である。
【図１１】  図９のＸＩ−ＸＩラインから後方五徳を見た図である。
【図１２】  排気孔が天板の立ち上がり部に形成された場合を示したドロップインコンロの要部拡大端面図である。
【図１３】  図１２に示した五徳の脚部の位置が異なる場合を示した図である。
【図１４】  天板のフランジ部に五徳よりも高さの高い突部が形成された場合を示した図である。
【図１５】  天板のフランジ部に五徳の高さとほぼ同じ高さの突部が形成された場合を示した図である。
【図１６】  天板のフランジ部に五徳の高さよりも低い高さの突部が形成された場合を示した図である。
【図１７】  図４の天板のフランジ部の後方に突部が形成された場合を示した図である。
【図１８】  図１４から図１７に示した実施の形態で採用される突部の変形例を示した図である。
【図１９】  従来のドロップインコンロの後方要部拡大端面図である。
【符号の説明】
１１７、１７４、１７５、１８１、１８５、１８９、１９５・・・天板
１２３ａ，ｂ，ｃ・・・排気孔
１３５・・・排気ガード
１３７ｂ、１６９、１７７・・・後方五徳
１３８・・・グリルバーナ
１６７・・・排気カバー
１８３、１８７、１９１、１９３、１９７・・・突部
【図１】
0003703932.tif 000002
【図２】
0003703932.tif 000003
【図３】
0003703932.tif 000004
【図４】
0003703932.tif 000005
【図５】
0003703932.tif 000006
【図６】
0003703932.tif 000007
【図７】
0003703932.tif 000008
【図８】
0003703932.tif 000009
【図９】
0003703932.tif 000010
【図１０】
0003703932.tif 000011
【図１１】
0003703932.tif 000012
【図１２】
0003703932.tif 000013
【図１３】
0003703932.tif 000014
【図１４】
0003703932.tif 000015
【図１５】
0003703932.tif 000016
【図１６】
0003703932.tif 000017
【図１７】
0003703932.tif 000018
【図１８】
0003703932.tif 000019
【図１９】
0003703932.tif 000020